(57)【要約】【課題】記録媒体からの磁気情報の読み取り率を向上させる。【解決手段】搬送経路１５に沿って記録媒体Ｐを搬送する記録媒体搬送手段２０と、搬送される前記記録媒体Ｐに記録された磁気情報を読み取る磁気ヘッド３２を有する磁気情報読み取り手段３０と、を備え、前記記録媒体搬送手段２０は、前記記録媒体Ｐを外周面に保持する無端ベルト１８、および、前記無端ベルト１８の張力を調整する張力調整手段１６と、を有し、前記磁気情報読み取り手段３０の前記磁気ヘッド３２は、前記記録媒体Ｐを介して前記無端ベルト１８の前記搬送経路１５に沿う前記外周面に押圧状態で配設されている。【選択図】図1
2014203477.tif 000002
【特許請求の範囲】
【請求項１】
搬送経路に沿って記録媒体を搬送する記録媒体搬送手段と、
搬送される前記記録媒体に記録された磁気情報を読み取る磁気ヘッドを有する磁気情報読み取り手段と、を備え、
前記記録媒体搬送手段は、前記記録媒体を外周面に保持する無端ベルト、および前記無端ベルトの張力を調整する張力調整手段と、を有し、
前記磁気情報読み取り手段の前記磁気ヘッドは、前記記録媒体を介して前記無端ベルトの前記搬送経路に沿う外周面に押圧状態で配設されていることを特徴とする磁気情報読み取り装置。
【請求項２】
前記張力調整手段は、前記無端ベルトに内接するとともに法線方向に移動可能な少なくとも１つのローラーを有することを特徴とする請求項１に記載の磁気情報読み取り装置。
【請求項３】
前記磁気ヘッドの磁気情報読み取り部は、前記記録媒体と接触する方向に、湾曲形状に形成されており、
前記ローラーは、前記無端ベルトの外周面の一部を前記磁気情報読み取り部の湾曲形状に沿わせるように配置されていることを特徴とする請求項１または２に記載の磁気情報読み取り装置。
【請求項４】
前記磁気情報読み取り手段の前記磁気ヘッドは、前記無端ベルト方向に付勢されていることを特徴とする請求項１乃至３のいずれか一項に記載の磁気情報読み取り装置。
【発明の詳細な説明】
【技術分野】
【０００１】
本発明は、磁気情報読み取り装置に関する。
【背景技術】
【０００２】
従来から商取引や店舗での買い物、レストランでの支払い等においては、小切手等の有価証券を用いて決済が行われることがある。一般に、小切手は、所定場所に口座番号、金額等が、磁気インクによるＭＩＣＲ（Ｍａｇｎｅｔｉｃ  Ｉｎｋ  Ｃｈａｒａｃｔｅｒ  Ｒｅｃｏｇｎｉｔｉｏｎ）文字やＭＩＣＲ記号により印刷されている。以降、ＭＩＣＲ文字やＭＩＣＲ記号をまとめて磁気情報と称する。この小切手による精算処理では、この磁気情報を読み取り、読み取ったデータを所定の機関に照会することにより小切手の有用性を判定する。
【０００３】
上述の磁気情報の読み取りを行う磁気情報読み取り装置は、磁気文字読み取り装置（ＭＩＣＲリーダー）とも称せられ、磁気情報の印刷された小切手等の記録媒体を、磁気情報読み取り装置の内部に搬入する。そして、磁石により磁気情報としてのＭＩＣＲ文字に着磁を行い、ＭＩＣＲ文字の印刷部分を内部の磁気ヘッドに密着させることで、信号を読み取りＭＩＣＲ文字を認識する（例えば、特許文献１参照）。
【先行技術文献】
【特許文献】
【０００４】
【特許文献１】特開平１１−２３２３８４号公報
【発明の概要】
【発明が解決しようとする課題】
【０００５】
市場で流通する小切手等の記録媒体は、保管、持ち運びの段階で皺、折れが発生する場合がある。皺、折れが発生した小切手に印刷された磁気インク文字は、磁気ヘッドの読み取り部との接触性が損なわれてしまう可能性がある。そのため、磁気情報の読み取り率が低下する虞がある。
【課題を解決するための手段】
【０００６】
本発明は、上述の課題の少なくとも一部を解決するためになされたものであり、以下の形態または適用例として実現することが可能である。
【０００７】
（適用例１）搬送経路に沿って記録媒体を搬送する記録媒体搬送手段と、搬送される前記記録媒体に記録された磁気情報を読み取る磁気ヘッドを有する磁気情報読み取り手段と、を備え、前記記録媒体搬送手段は、前記記録媒体を外周面に保持する無端ベルト、および、前記無端ベルトの張力を調整する張力調整手段と、を有し、前記磁気情報読み取り手段の前記磁気ヘッドは、前記記録媒体を介して前記無端ベルトの前記搬送経路に沿う前記外周面に押圧状態で配設されていることを特徴とする磁気情報読み取り装置。
【０００８】
この構成によれば、磁気情報が記録された記録媒体は、記録媒体搬送手段によって回動する無端ベルトの外周面に保持されて搬送される。磁気情報読み取り手段の磁気ヘッドは、無端ベルトの外周面に押し付けられている。無端ベルトは、張架されているため、磁気ヘッドの押し付け力によって厚み方向に弾性変形する。そのため、押圧状態の磁気ヘッドは、無端ベルトに保持され搬送される記録媒体と密着した状態で接触することができる。その結果、記録媒体は、磁気ヘッドに押圧され皺や折れが矯正された状態で磁気情報が読み取られる。従って、磁気情報読み取り装置は、記録媒体からの磁気情報の読み取り率を向上することができる。
【０００９】
（適用例２）前記張力調整手段は、前記無端ベルトに内接するとともに法線方向に移動可能な少なくとも１つのローラーを有することを特徴とする上記の磁気情報読み取り装置。
【００１０】
この構成によれば、無端ベルトは、内接し法線方向に移動可能なプーリー等のローラーによって張力が調整される。無端ベルトの張力を調整することによって、磁気ヘッドの押し付け力による変形具合を調整できる。そのため、記録媒体の剛性、皺、折れの状態によって磁気ヘッドと記録媒体との密着状態を調整することができる。その結果、磁気情報読み取り装置は、記録媒体の皺や折れが矯正され、磁気情報の読み取り率を向上することができる。
【００１１】
（適用例３）前記磁気ヘッドの磁気情報読み取り部は、前記記録媒体と接触する方向に
湾曲形状に形成されており、前記ローラーは、前記無端ベルトの外周面の一部を前記磁気情報読み取り部の湾曲形状に沿わせるように配置されていることを特徴とする上記の磁気情報読み取り装置。
【００１２】
この構成によれば、記録媒体は、磁気ヘッドの湾曲形状の磁気情報読み取り部に確実に接触する。そのため、記録媒体の磁気情報の読み取り率を向上させることができる。
【００１３】
（適用例４）前記磁気情報読み取り手段の前記磁気ヘッドは、前記無端ベルト方向に付勢されていることを特徴とする上記の磁気情報読み取り装置。
【００１４】
この構成によれば、記録媒体と磁気ヘッドとの密着状態をさらに向上することができる。そのため、記録媒体の磁気情報の読み取り率を向上させることができる。
【図面の簡単な説明】
【００１５】
【図１】第１実施形態に係る磁気情報読み取り装置の構成図。
【図２】磁気情報読み取り装置の制御部を示すブロック図。
【図３】第２実施形態に係る磁気情報読み取り装置の構成図。
【図４】第３実施形態に係る磁気情報読み取り装置の構成図。
【発明を実施するための形態】
【００１６】
以下、本実施形態について図面を参照して説明する。なお、以下の説明で参照する図面では、説明および図示の便宜上、部材ないし部分の縦横の縮尺を実際のものとは異なるように表す場合がある。
【００１７】
（第１実施形態）
（磁気情報読み取り装置の全体構成について）
まず、磁気情報読み取り装置の全体構成について、図１を参照して説明する。図１は第１実施形態に係る磁気情報読み取り装置の構成図であり、詳しくは、磁気情報読み取り手段の周辺を示す図である。図１に示すＸ方向は、記録媒体の主搬送方向を示し、Ｙ方向は、記録媒体の幅方向を示し、Ｚ方向は、Ｘ方向およびＹ方向と直交する方向を示す。
【００１８】
図１に示すように、磁気情報読み取り装置１０は、小切手等の記録媒体が搬送される搬送経路１５に沿って、記録媒体搬送手段２０と、磁気情報読み取り手段３０と、制御手段４０（図２参照）と、を備える。磁気情報読み取り装置１０は、例えば、スキャナープリンター等の複合機や小切手処理装置に適用される。例えば、小切手処理装置は、図示しない小切手搬入口から搬入される小切手を、記録媒体搬送手段２０によって、搬送経路１５に沿って図１中Ｘ方向に搬送し、磁気情報読み取り手段３０によって、小切手に記録されるＭＩＣＲ文字等の磁気情報を読み取る。そして、磁気情報の読み取り結果に基づき情報を処理するとともに、処理結果に基づいて小切手を分類し図示しない所定の小切手収納部に送り込む。
【００１９】
記録媒体搬送手段２０は、駆動プーリー１２と、従動プーリー１４と、張力調整手段としてのテンションプーリー１６と、駆動モーター２４と、動力伝達機構２６とを有している。駆動プーリー１２と従動プーリー１４は、回転中心を有する円柱形状に形成され、搬送経路１５に沿って所定の間隔（１８ａ）を隔てて回転可能な状態で配置される。駆動プーリー１２は、駆動モーター２４の駆動力が歯車列等の動力伝達機構２６を介して伝達され回転駆動する。従動プーリー１４は、回転自在な状態で配設されている。
【００２０】
テンションプーリー１６は、回転中心を有する円柱形状に形成され、搬送経路１５に沿う駆動プーリー１２と従動プーリー１４とをつなぐ直線部分を一辺とし、Ｚ方向下側を頂点とする三角形の頂点の位置付近に回転自在に配置される。また、テンションプーリー１６はＺ方向に沿って移動可能に設定されている。なお、テンションプーリー１６のＺ方向への移動手段は、特に限定しない。移動用のピニオンラック機構を設けてもよいし、手動で移動してねじ等の締結部品で固定してもよい。また、従動プーリー１４をＸ方向に移動可能とし、従動プーリー１４にテンションプーリー１６の機能を兼務させてもよい。
【００２１】
無端ベルト１８は、材質として、例えば硬質ゴム等が好適に適用され、図中Ｙ方向において、搬送される記録媒体Ｐの幅より広い幅を有する平ベルトである。無端ベルト１８は、駆動プーリー１２と従動プーリー１４とテンションプーリー１６とに架け回される。無端ベルト１８は、テンションプーリー１６をＺ方向に移動させ所定の位置に固定することによって張架される張力を調整することが可能である。すなわち、テンションプーリー１６は、張力調整手段として機能する。
【００２２】
この無端ベルト１８は、駆動モーター２４の駆動力を得て駆動プーリー１２が回転すると回動動作を始める。無端ベルト１８の回動動作に伴い、従動プーリー１４とテンションプーリー１６とは従動回転する。無端ベルト１８の駆動プーリー１２と従動プーリー１４との範囲１８ａは、搬送経路１５の一部分を構成する。
上述の構成を有する記録媒体搬送手段２０は、磁気情報が記録された記録媒体Ｐを無端ベルト１８の外周面に保持して図中Ｘ方向に沿って所定の送りピッチで搬送することができる。
【００２３】
磁気情報読み取り手段３０は、磁気ヘッド３２と、押圧機構３５とを有している。磁気ヘッド３２は、湾曲形状に形成された磁気情報読み取り部３３を有している。磁気ヘッド３２は、上述の搬送経路１５に沿って記録媒体搬送手段２０の駆動プーリー１２と従動プーリー１４との間に配置され、磁気情報読み取り部３３がＺ方向下方、すなわち搬送経路１５方向を向くように配置される。押圧機構３５は、圧縮コイルバネ等により磁気ヘッド３２をＺ方向下方に所定の圧力で付勢する。
【００２４】
そのため、図１に示すように、磁気ヘッド３２の磁気情報読み取り部３３は、記録媒体搬送手段２０の無端ベルト１８の範囲１８ａを撓ませた状態で無端ベルト１８の外周面に当接している。なお、このときの無端ベルト１８の撓み量Ｔは、テンションプーリー１６のＺ方向への移動量Ｑおよび押圧機構３５の圧力によって調整される。
【００２５】
磁気情報読み取り手段３０は、磁気情報読み取り部３３が、記録媒体搬送手段２０によって搬送される記録媒体に記録されたＭＩＣＲ文字等の磁気情報と接触することにより磁気情報を読み取る。なお、磁気ヘッド３２による読み取り前にＭＩＣＲ文字等の磁気情報の磁化方向を整列させるための図示しない永久磁石が磁気ヘッド３２の近傍に設けられている。
【００２６】
（磁気情報読み取り装置の制御系について）
ここで、磁気情報読み取り装置の制御系について、図２を参照して説明する。図２は、磁気情報読み取り装置の主要構成を示すブロック図である。
【００２７】
図２に示すように、磁気情報読み取り装置１０は、記録媒体搬送手段２０と、磁気情報読み取り手段３０と、これらを統括制御する制御手段４０とを備えている。制御手段４０は、制御系の主要部となる制御部４２と、モータードライバー４７と、磁気ヘッドドライバー４８と、インターフェイス４９とを備えている。
【００２８】
制御部４２は、ＣＰＵ（Ｃｅｎｔｒａｌ  Ｐｒｏｃｅｓｓｉｎｇ  Ｕｎｉｔ）４３と、情報処理部４４と、記憶部としてのメモリー部４５とを備えている。ＣＰＵ４３は、図示しない操作系や検出系からの入力信号処理等の各種処理を実行する。情報処理部４４は、磁気情報読み取り手段３０で読み取られた各種情報が処理され文字認識処理も行われる。メモリー部４５は、図示しないＲＡＭ（Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）等を含んだ構成を有している。メモリー部４５は、磁気情報読み取り手段３０で読取られた読み取り情報等の各種データを格納したり、ＣＰＵ４３によって実行されるプログラムを記憶して展開したりする。
【００２９】
モータードライバー４７は、記録媒体搬送手段２０の駆動モーター２４等のモーターの動作を制御する。磁気ヘッドドライバー４８は、磁気ヘッド３２と増幅回路４１から構成される読み取り制御部４６に接続され、磁気ヘッド３２の動作を制御する。インターフェイス４９は、外部に接続されたコンピューター５０から受け取った磁気情報読み取り動作の開始指令や各種データ等を制御部４２に出力したり、制御部４２から受け取った各種情報をコンピューター５０に出力したりする。
【００３０】
（磁気情報読み取り装置の動作について）
次いで、本実施形態に係る磁気情報読み取り装置の動作について、同じく図１および図２を参照して説明する。
【００３１】
図２に示すコンピューター５０から磁気情報読み取り動作の開始指令が制御部４２に入力されると、制御部４２は、その指令をモータードライバー４７や磁気ヘッドドライバー４８に伝達する。モータードライバー４７は、図１に示す記録媒体搬送手段２０の駆動モーター２４を動作させ、動力伝達機構２６を介して駆動力を駆動プーリー１２に伝達する。駆動力が伝達された駆動プーリー１２は、図１中矢印Ａ方向に回転する。駆動プーリー１２が矢印Ａ方向に回転すると、無端ベルト１８は搬送経路１５において矢印Ｂ方向に回動動作を開始し、従動プーリー１４およびテンションプーリー１６も同じく矢印Ａ方向に回転する。
【００３２】
記録媒体Ｐには、ＭＩＣＲ文字等の磁気情報が、記録媒体Ｐの一方の面の所定の位置に記録されている。記録媒体Ｐは、磁気情報が記録されている面が無端ベルト１８の外周方向に向くように無端ベルト１８の外周面に保持される。そのため、記録媒体Ｐは、無端ベルト１８の回動に伴って矢印Ｂ方向に搬送される。
【００３３】
次いで、図２に示す磁気ヘッドドライバー４８を用い、読み取り制御部４６を制御して記録媒体Ｐに記録された磁気情報の読み取り動作を実行する。上述のように、記録媒体Ｐは、記録媒体搬送手段２０の無端ベルト１８に保持され搬送される。磁気ヘッド３２は、磁気情報読み取り部３３をＺ方向下方に向け、無端ベルト１８を撓ませた状態で押圧されている。
【００３４】
記録媒体Ｐに記録され着磁された磁気情報が、磁気ヘッド３２の磁気情報読み取り部３３の位置に到達し磁気情報読み取り部３３に密着した状態で通過すると、読み取り制御部４６は、着磁された磁気情報による電磁誘導を受け発生した起電力を増幅回路４１で増幅して信号として出力する。この信号は、制御部４２の情報処理部４４で処理され、インターフェイス４９を介して上位のコンピューター５０に送られ認識され、管理運用できるようになっている。
【００３５】
以下、第１実施形態の効果を記載する。
（１）上述の磁気情報読み取り装置１０において、磁気情報が記録された記録媒体Ｐは、記録媒体搬送手段２０によって回動する無端ベルト１８の外周面に保持されて搬送される。磁気情報読み取り手段３０の磁気ヘッド３２は、無端ベルト１８の外周面に押し付けられている。無端ベルト１８は、テンションプーリー１６によって所定の張力で張架されている。磁気ヘッド３２は、押圧機構３５によって所定の押し付け力によって無端ベルト１８に押し付けられている。そのため、無端ベルト１８は、厚み方向に弾性変形した状態で記録媒体Ｐを搬送する。その結果、押圧状態の磁気ヘッド３２は、無端ベルト１８に保持され搬送される記録媒体Ｐと密着した状態で接触することができる。従って、記録媒体Ｐは、磁気ヘッド３２に押圧され皺や折れが矯正された状態で磁気情報が読み取られる。
【００３６】
（２）無端ベルト１８は、内接し法線方向に移動可能なテンションプーリー１６によって張力が調整される。また、磁気ヘッド３２は、圧縮コイルバネ等の押圧機構３５によって無端ベルト１８への押し付け状態を調整する。そのため、磁気ヘッド３２と記録媒体Ｐとの密着状態や無端ベルト１８の変形具合を調整できる。その結果、記録媒体Ｐの紙厚による剛性や記録媒体Ｐの皺、折れの状態によって磁気ヘッド３２と記録媒体Ｐとの密着状態を調整できる。従って、磁気情報読み取り装置１０は、記録媒体Ｐの皺や折れが矯正され、磁気情報の読み取り率を向上させることができる。
【００３７】
（第２実施形態）
ここで、第２実施形態について、図３を参照して説明する。図３は、第２実施形態に係る磁気情報読み取り装置の構成図である。なお、図３に示すＸ方向、Ｙ方向およびＺ方向は、図１に示すＸ方向、Ｙ方向およびＺ方向と同一な方向を示す。また、第１実施形態と同様な構成および内容については、符号を等しくして説明を省略する。
【００３８】
図３に示すように、第２実施形態に係る磁気情報読み取り装置１０Ａは、記録媒体搬送手段２０Ａにおいて、搬送経路１５に沿う磁気ヘッド３２のＸ方向両側部分に、無端ベルト１８に内接する規制ローラー５７が２つ設けられている。規制ローラー５７は、円柱状の回転自在のローラーであって図中Ｚ方向上側（矢印Ｓ方向）に弾性部材で付勢されている。そのため、無端ベルト１８は、磁気ヘッド３２の磁気情報読み取り部３３の湾曲形状に沿うように配置される。
【００３９】
無端ベルト１８の外周面に保持される記録媒体Ｐは、磁気情報読み取り部３３の湾曲形状に密着状態で搬送される。その結果、記録媒体Ｐの皺や折れが矯正されるとともに、記録媒体Ｐは、磁気ヘッド３２の磁気情報読み取り部３３に確実に接触する。そのため、記録媒体Ｐの磁気情報の読み取り率を向上させることができる。
【００４０】
（第３実施形態）
ここで、第３実施形態について、図４を参照して説明する。図４は、第３実施形態に係る磁気情報読み取り装置の構成図である。なお、図４に示すＸ方向、Ｙ方向およびＺ方向は、図１に示すＸ方向、Ｙ方向およびＺ方向と同一な方向を示す。また、第１実施形態と同様な構成および内容については、符号を等しくして説明を省略する。
【００４１】
図４に示すように、第３実施形態に係る磁気情報読み取り装置１０Ｂは、記録媒体搬送手段２０Ｂにおいて、駆動プーリー１２および従動プーリー１４に対してそれぞれ紙押えローラー５５が図中Ｚ方向上方に配置されている。２つの紙押えローラー５５は、円柱状の回転自在なローラーであって、無端ベルト１８を介して駆動プーリー１２および従動プーリー１４に所定の押圧力で押圧されている。
【００４２】
無端ベルト１８の外周面に保持され搬送される記録媒体Ｐは、記録媒体搬送手段２０Ｂの入り口および出口において、２つの紙押えローラー５５と無端ベルト１８の外周面との間に挟持され搬送される。そのため、より安定した搬送が行われる。また、紙押えローラー５５によって、記録媒体Ｐの皺や折れが事前に矯正される。その結果、磁気情報読み取り装置１０Ｂは、記録媒体Ｐの皺や折れが矯正され、磁気情報の読み取り率を向上させることができる。
【符号の説明】
【００４３】
１０，１０Ａ，１０Ｂ…情報読み取り装置、１５…搬送経路、１６…張力調整手段としてのテンションプーリー、１８…無端ベルト、２０，２０Ａ，２０Ｂ…記録媒体搬送手段、２４…駆動モーター、３０…情報読み取り手段、３２…磁気ヘッド、３５…押圧機構、４７…モータードライバー、４８…磁気ヘッドドライバー、５０…コンピューター、５５…紙押えローラー、５７…規制ローラー。
【図１】
2014203477.tif 000003
【図２】
2014203477.tif 000004
【図３】
2014203477.tif 000005
【図４】
2014203477.tif 000006